(57)【要約】      （修正有）【課題】太陽の自転に関する情報が記載されたカレンダーを提供する。【解決手段】カレンダー８０は、暦上の日を表示する日表示が記載された枠内に、日表示とともに太陽自転表示３６を有し、太陽自転表示は、太陽の自転を太極図を基に第１の領域、第２の領域の回転と増減により表す。【選択図】図１
0003180549.tif 000002
【実用新案登録請求の範囲】
【請求項１】
暦上の月を表示する月表示と、暦上の日を表示する日表示と、暦上の曜日を表示する曜日表示と、を有するカレンダーにおいて、
前記日表示と一対一対応し太陽の自転を表す太陽自転表示を有し、
前記太陽自転表示は、第１の色で構成される略勾玉形状の第１の領域と第２の色で構成される略勾玉形状の第２の領域が回転しながら増減することで太陽の自転を表すとともに、太陽自転期の開始日を第１の領域と第２の領域とが同比率で組み合わさり第１の領域が左方に位置する陽陰太極図表示で示し、
さらに、前記陽陰太極図表示から第２の領域が徐々に増大して第１の領域が消滅する太陰表示までの第１区間と、前記太陰表示から第１の領域が徐々に増大して第１の領域と第２の領域とが同比率で第１の領域が右方に位置する陰陽太極図表示までの第２区間と、前記陰陽太極図表示から第１の領域が徐々に増大して第２の領域が消滅する太陽表示までの第３区間と、前記太陽表示から第２の領域が徐々に増大して次の太陽自転期の開始日を示す陽陰太極図表示となるまでの第４区間と、を有することを特徴とするカレンダー。
【請求項２】
太陽の自転周期が２８日間の場合には第１区間、第２区間、第３区間、第４区間を各７日間とし、
太陽の自転周期が２７日間で太陽自転期の開始時刻が０時から６時までの場合には第４区間を６日間とし、それ以外の区間を７日間とし、
太陽の自転周期が２７日間で太陽自転期の開始時刻が６時から１２時までの場合には第３区間を６日間とし、それ以外の区間を７日間とし、
太陽の自転周期が２７日間で太陽自転期の開始時刻が１２時から１８時までの場合には第２区間を６日間とし、それ以外の区間を７日間とし、
太陽の自転周期が２７日間で太陽自転期の開始時刻が１８時から２４時までの場合には第１区間を６日間とし、それ以外の区間を７日間とすることを特徴とする請求項１記載のカレンダー。
【請求項３】
太陽自転期の開始日に第１の記号を付与することを特徴とする請求項１又は請求項２に記載のカレンダー。
【請求項４】
太陽の日面中央経度が最大値と最小値をとる日に第２の記号を付与することを特徴とする請求項１乃至請求項３のいずれかに記載のカレンダー。
【請求項５】
太陽の日面中央緯度が０°に最接近する日及び最大値、最小値の近傍となる日に第３の記号を付与することを特徴とする請求項１乃至請求項４のいずれかに記載のカレンダー。
【考案の詳細な説明】
【技術分野】
【０００１】
本考案は、太陽の自転に関する情報が記載されたカレンダーに関する。
【背景技術】
【０００２】
地球上の生物や気候に大きな影響を及ぼす天体として月と太陽がある。月には満ち欠けが存在するとともに潮の干満に関与するため、例えば下記［特許文献１］に示すように、月の満ち欠け等の情報が記載されたカレンダーが多く市販されている。また、太陽に関しては日出、日没時刻などの情報が記載されたカレンダーが市販されている。
【先行技術文献】
【特許文献】
【０００３】
【特許文献１】実開昭６０−０６０２６９号公報
【考案の概要】
【考案が解決しようとする課題】
【０００４】
しかしながら、日出、日没時刻といった太陽の情報は地球の自公転によるものであり、太陽自体の状態、特に地球上の生物や気候に関係すると思われる太陽の自転の情報を示すものではない。
【０００５】
本考案は上記事情に鑑みてなされたものであり、太陽の自転に関する情報が記載されたカレンダーを提供することを目的とする。
【課題を解決するための手段】
【０００６】
本考案は、
（１）暦上の月を表示する月表示３０と、暦上の日を表示する日表示３２と、暦上の曜日を表示する曜日表示３４と、を有するカレンダーにおいて、
前記日表示３２と一対一対応し太陽の自転を表す太陽自転表示３６を有し、
前記太陽自転表示３６は、第１の色で構成される略勾玉形状の第１の領域４０ａと第２の色で構成される略勾玉形状の第２の領域４０ｂが回転しながら増減することで太陽の自転を表すとともに、太陽自転期の開始日を第１の領域４０ａと第２の領域４０ｂとが同比率で組み合わさり第１の領域４０ａが左方に位置する陽陰太極図表示３６ａで示し、
さらに、前記陽陰太極図表示３６ａから第２の領域４０ｂが徐々に増大して第１の領域４０ａが消滅する太陰表示３６ｂまでの第１区間と、前記太陰表示３６ｂから第１の領域４０ａが徐々に増大して第１の領域４０ａと第２の領域４０ｂとが同比率で第１の領域４０ａが右方に位置する陰陽太極図表示３６ｃまでの第２区間と、前記陰陽太極図表示３６ｃから第１の領域４０ａが徐々に増大して第２の領域４０ｂが消滅する太陽表示３６ｄまでの第３区間と、前記太陽表示３６ｄから第２の領域４０ｂが徐々に増大して次の太陽自転期の開始日を示す陽陰太極図表示３６ａとなるまでの第４区間と、を有することを特徴とするカレンダー８０を提供することにより、上記課題を解決する。
（２）太陽の自転周期が２８日間の場合には第１区間、第２区間、第３区間、第４区間を各７日間とし、
太陽の自転周期が２７日間で太陽自転期の開始時刻が０時から６時までの場合には第４区間を６日間とし、それ以外の区間を７日間とし、
太陽の自転周期が２７日間で太陽自転期の開始時刻が６時から１２時までの場合には第３区間を６日間とし、それ以外の区間を７日間とし、
太陽の自転周期が２７日間で太陽自転期の開始時刻が１２時から１８時までの場合には第２区間を６日間とし、それ以外の区間を７日間とし、
太陽の自転周期が２７日間で太陽自転期の開始時刻が１８時から２４時までの場合には第１区間を６日間とし、それ以外の区間を７日間とすることを特徴とする上記（１）記載のカレンダー８０を提供することにより、上記課題を解決する。
（３）太陽自転期の開始日に第１の記号４１を付与することを特徴とする上記（１）又は（２）に記載のカレンダー８０を提供することにより、上記課題を解決する。
（４）太陽の日面中央経度が最大値と最小値をとる日に第２の記号４２を付与することを特徴とする上記（１）乃至（３）のいずれかに記載のカレンダー８０を提供することにより、上記課題を解決する。
（５）太陽の日面中央緯度が０°に最接近する日及び最大値、最小値の近傍となる日に第３の記号４４を付与することを特徴とする上記（１）乃至（４）のいずれかに記載のカレンダー８０を提供することにより、上記課題を解決する。
【考案の効果】
【０００７】
本考案に係るカレンダーは、太陽の自転を太極図の陰陽の回転と増減により示す。これにより、ユーザは太陽の自転を視覚的に把握することができる。また、太極図の陽の領域（第１の領域）が人間の陽の気分を表し、陰の領域（第２の領域）が人間の陰の気分を表す。よって、ユーザは第１の領域と第２の領域との面積比により、自分の精神状態を的確に把握することができる。また、本考案に係るカレンダーは、太陽の自転や太陽の日面中央緯度、日面中央経度に基づく統計的な要注意日に警告記号を付与する。このため、ユーザはこれら太陽に基づく要注意日を事前に把握することができる。
【図面の簡単な説明】
【０００８】
【図１】本考案に係るカレンダーの例を示す第１の図である。
【図２】本考案に係るカレンダーの例を示す第２の図である。
【図３】本考案に係るカレンダーの例を示す第３の図である。
【図４】本考案に係るカレンダーの太陽自転表示を示す図である。
【考案を実施するための形態】
【０００９】
先ず、太陽の自転に関して説明を行う。太陽は地球と同じく自転しており、地球側に向く太陽面は常に変化している。ただし、太陽はガス体で構成されているため、その自転周期は緯度によって異なる。例えば赤道付近の自転周期は約２５日であるのに対し、南北両極付近での自転周期は約３０日である。このように太陽の自転周期は緯度によって異なるが、天文観測上の自転周期として太陽自転期によって定められた自転周期がある。尚、太陽自転期は英国の天文学者  リチャード・クリストファー・キャリントン（Ｒｉｃｈａｒｄ  Ｃｈｒｉｓｔｏｐｈｅｒ  Ｃａｒｒｉｎｇｔｏｎ）が定めたものである。そして、この太陽自転期に基づく太陽の自転周期には２７日の周期と２８日の周期が存在する。本考案に係るカレンダーは、この太陽自転期に基づく太陽の自転を太陽自転表示で示すとともに、太陽の自転の影響による人体の好不調、及び気象変化等への注意喚起を促すものである。
【００１０】
次に、本考案に係るカレンダーの実施の形態について図面に基づいて説明する。図１は本考案に係るカレンダー８０の２０１３年３月、４月の例を示す図である。また、図２は２０１３年５月、６月の例を示す図である。また、図３は２０１３年９月の例を示す図である。
【００１１】
図１〜図３に示す本考案に係るカレンダー８０は、地球の自公転周期により定められた、暦上の月（１月〜１２月）を表示する月表示３０と、暦上の日（１〜３１）を表示する日表示３２と、暦上の曜日（月曜日〜日曜日）を表示する曜日表示３４と、日表示３０と一対一対応し太陽の自転を表す太陽自転表示３６と、を有している。
【００１２】
太陽自転表示３６は太極図を基にしたものであり、図４（ａ）の白色（第１の色）の略勾玉形状の第１の領域４０ａと、黒色（第２の色）の略勾玉形状の第２の領域４０ｂとで構成され、この第１の領域４０ａと第２の領域４０ｂとが、図４（ｂ）に示すように、回転しながら増減する２８種類の図柄を有している。尚、第１の領域４０ａと第２の領域４０ｂの色は白色黒色が最も好ましいが、特にこれに限定されるわけではなく、例えば赤青、金銀等の陰陽をイメージする配色であれば如何なるものでも構わない。
【００１３】
そして、上記の２８種類の太陽自転表示３６は４つのグループに大別される。第１のグループ３８ａは、後述の第１区間で用いられる太陽自転表示３６であり、陽陰太極図表示３６ａの第２の領域４０ｂが反時計回りに回転しながら徐々に増大し、第１の領域４０ａが消滅し第２の領域４０ｂのみで構成される太陰表示３６ｂに至るまでの７種の太陽自転表示３６（含む太陰表示３６ｂ）である。また、第２のグループ３８ｂは、後述の第２区間で用いられる太陽自転表示３６であり、太陰表示３６ｂに第１の領域４０ａが生じ、この第１の領域４０ａが反時計回りに回転しながら徐々に増大して第２の領域４０ｂと同比率の陰陽太極図表示３６ｃに至るまでの７種の太陽自転表示３６（含む陰陽太極図表示３６ｃ）である。尚、陰陽太極図表示３６ｃは陽陰太極図表示３６ａと点対称の図形であり、第１の領域４０ａが右方に位置する。また、第３のグループ３８ｃは、後述の第３区間で用いられる太陽自転表示３６であり、陰陽太極図表示３６ｃの第１の領域４０ａが反時計回りに回転しながら徐々に増大し、第２の領域４０ｂが消滅し第１の領域４０ａのみで構成される太陽表示３６ｄに至るまでの７種の太陽自転表示３６（含む太陽表示３６ｄ）である。また、第４のグループ３８ｄは、後述の第４区間で用いられる太陽自転表示３６であり、太陽表示３６ｄに第２の領域４０ｂが生じ、この第２の領域４０ｂが反時計回りに回転しながら徐々に増大して陽陰太極図表示３６ａに至るまでの７種の太陽自転表示３６（含む陽陰太極図表示３６ａ）である。
【００１４】
そして、太陽自転期の開始日である、図１〜図３の３月２１日、４月１８日、５月１５日、６月１１日、９月１日、９月２８日には、太陽自転表示３６のうちの陽陰太極図表示３６ａを配置する。そして、太陽自転期に基づく太陽の自転周期が２８日周期の場合には、陽陰太極図表示３６ａから続けて上記の２８種類の太陽自転表示３６を順番に配置する。例えば太陽自転期が２８日である開始日が３月２１日の例では、太陽自転期の開始日である３月２１日に陽陰太極図表示３６ａを記載し、第１区間である３月２２日〜３月２８日に第１のグループ３８ａの太陽自転表示３６を記載する。このとき、太陰表示３６ｂは３月２８日に記載される。次に、第２区間である３月２９日〜４月４日に第２のグループ３８ｂの太陽自転表示３６を記載する。このとき、陰陽太極図表示３６ｃは４月４日に記載される。次に、第３区間である４月５日〜４月１１日に第３のグループ３８ｃの太陽自転表示３６を記載する。このとき、太陽表示３６ｄは４月１１日に記載される。次に、第４区間である４月１２日〜４月１８日に第４のグループ３８ｄの太陽自転表示３６を記載する。このとき、陽陰太極図表示３６ａは次の太陽自転期の開始日である４月１８日に位置する。
【００１５】
また、太陽の自転周期が２７日周期の場合には太陽自転期の開始時刻に応じて、第１区間、第２区間、第３区間、第４区間のいずれか１区間の日数を６日間とする。先ず、太陽自転期の開始時刻が０時から６時までの場合、第４区間の日数を６日間とする。例えば、２０１３年４月１８日から始まる太陽自転期の開始時刻は３時３９分である。また、２０１３年９月１日から始まる太陽自転期の開始時刻は５時５３分である。この場合、４月１８日から始まる太陽自転期の第４区間（５月１０日〜５月１５日）を６日間とする。また、９月１日から始まる太陽自転期の第４区間（９月２３日〜９月２８日）を６日間とする。そして、陽陰太極図表示３６ａを除いた第４のグループ３８ｄの６種の太陽自転表示３６のうち一つの記載を省略する。
【００１６】
また、太陽自転期の開始時刻が６時から１２時までの場合、第３区間の日数を６日間とする。例えば、２０１３年５月１５日から始まる太陽自転期の開始時刻は９時２３分である。この場合、５月１５日から始まる太陽自転期の第３区間（５月３０日〜６月４日）を６日間とする。そして、太陽表示３６ｄを除いた第３のグループ３８ｃの６種の太陽自転表示３６のうち一つの記載を省略する。
【００１７】
また、太陽自転期の開始時刻が１２時から１８時までの場合、第２区間の日数を６日間とする。例えば、２０１３年６月１１日から始まる太陽自転期の開始時刻は１４時２１分である。この場合、６月１１日から始まる太陽自転期の第２区間（６月１９日〜６月２４日）を６日間とする。そして、陰陽太極図表示３６ｃを除いた第２のグループ３８ｂの６種の太陽自転表示３６のうち一つの記載を省略する。
【００１８】
また、太陽自転期の開始時刻が１８時から２４時までの場合、第１区間の日数を６日間とする。そして、太陰表示３６ｂを除いた第１のグループ３８ａの６種の太陽自転表示３６のうち一つの記載を省略する。
【００１９】
また、本考案に係るカレンダー８０では、太陽自転期の開始日に警告記号としての第１の記号４１を付与する。さらに、本考案に係るカレンダー８０では、太陽に関する更なる情報として太陽の日面中央経度が最大値と最小値をとる日に第２の記号４２を付与する。尚、日面中央経度とは、太陽面上の基準子午線から（地球から見た）太陽面上の中央位置を通る子午線までの離角である。ここで、図１〜図３（２０１３年３月〜６月、９月）における日面中央経度が最大値と最小値をとる日は、３月２１日、３月２２日、４月１７日、４月１８日、５月１５日、５月１６日、６月１１日、６月１２日、９月１日、９月２８日、９月２９日であり、これらの日に第２の記号４２を記載する。
【００２０】
またさらに、本考案に係るカレンダー８０では、太陽に関する更なる情報として太陽の日面中央緯度が０°に最接近する日及び最大値、最小値の近傍となる日に第３の記号４４ａ、４４ｂを付与する。尚、日面中央緯度とは、太陽の赤道面から（地球から見た）太陽面上の中央位置と太陽の中心とを結ぶ交角であり、赤道面に対して中央位置が北にあれば正（＋）となり、南にあれば負（−）となる。本例では日面中央緯度が最大値近傍となる日、及び、日面中央緯度が０°に最接近し且つ負から正に替わる日に第３の記号４４ａを記載している。また、日面中央緯度が最小値近傍となる日、及び、日面中央緯度が０°に最接近し且つ正から負に替わる日に第３の記号４４ｂを記載している。尚、２０１３年は９月６日〜９月１１日が日面中央緯度の最大値近傍となる日であり、この日に第３の記号４４ａを記載する。また、３月４日〜３月８日が日面中央緯度の最小値近傍となる日であり、この日に第３の記号４４ｂを記載する。また、６月６日、６月７日の間が日面中央緯度が０°に最接近しかつ負から正に替わる時であり、よってこの両日に第３の記号４４ｂを記載する。また、図示しない１２月８日が日面中央緯度が０°に最接近しかつ正から負に替わる日であり、この日に第３の記号４４ｂを記載する。
【００２１】
尚、太陽の自転は人間の感情や気象に影響を及ぼす可能性がある。本願考案者は、人間の感情の起伏に約２８日間のサイクルが存在し、この感情のサイクルと太陽の自転とを結びつける形で上記の太陽自転表示３６を配した。尚、太陽自転表示３６の第１の領域４０ａが人間の陽の気分を表し、第２の領域４０ｂが人間の陰の気分を表している。よって、第１の領域４０ａと第２の領域４０ｂとの面積比がその時の人間の精神状態を表す。
【００２２】
このため、第１の領域４０ａと第２の領域４０ｂとが同比率の陽陰太極図表示３６ａから第２の領域４０ｂが徐々に増大する第１区間は、人間の気分が徐々に落ち込み、それに伴って体調も低下する期間を意味している。従って、人間関係等のトラブルに注意し、感情をコントロールして気分が明るくなることをして過ごすことが望ましい。次に、太陰表示３６ｂに第１の領域４０ａが生じ、これが徐々に増大する第２区間は、気分や体調が徐々に上昇する期間を意味している。従って、閉塞的な気分から脱し、人間関係も円滑に進むことが多い。次に、陰陽太極図表示３６ｃから第１の領域４０ａがさらに増大する第３区間は、気分や体調がピークに向かう期間を意味している。よって、レジャーや行楽には好適な期間である。次に、太陽表示３６ｄに第２の領域４０ｂが生じ、これが徐々に増大する第４区間は、気分や体調が徐々に低下する期間を意味している。従って、体調や精神を整えるよう行動することが望ましい。
【００２３】
尚、第１の記号４１が記された陽陰太極図表示３６ａに位置する日、及び陰陽太極図表示３６ｃの位置する日は、人間の情緒が不安定になる可能性があり注意が必要である。また、この日の２日前頃から突風や急激な気温変化が生じる可能性が高いため注意が必要である。また、統計的に地震が発生し易いので注意が必要である。
【００２４】
また、第２の記号４２を付与した太陽の日面中央経度が最大値と最小値をとる日は、統計的に人間が衝動的行動を起こす傾向があるため、買物、賭け事、デモ行為、相場の変動等に注意を要する。また、躁状態を誘引したり高血圧や糖尿病等に影響を与える可能性があるため注意を要する。
【００２５】
また、第３の記号４４ａ、４４ｂを付与した日は、統計的に気象の急激な変化、火山の噴火等が生じる傾向が高いため注意を要する。また、人間の精神状態へも大きな影響を与える可能性があるので注意を要する。
【００２６】
以上のように、本考案に係るカレンダー８０は、太陽の自転を太極図を基にした太陽自転表示３６の第１の領域４０ａ、第２の領域４０ｂの回転と増減により表す。これにより、ユーザは太陽の自転を視覚的に把握することができる。また、第１の領域４０ａが人間の陽の気分を表し、第２の領域４０ｂが人間の陰の気分を表す。よって、ユーザは第１の領域４０ａと第２の領域４０ｂとの面積比により、自分の精神状態を的確に把握することができる。また、本考案に係るカレンダー８０は、太陽の自転や太陽の日面中央緯度、日面中央経度に基づく統計的な要注意日に警告記号（第１の記号４１、第２の記号４２、第３の記号４４ａ、４４ｂ）を付与する。このため、ユーザはこれら太陽に基づく要注意日を事前に把握することができる。
【００２７】
尚、本考案に係るカレンダー８０は年間カレンダーとしても良いし、手帳や日めくりカレンダーとしても良い。また、カレンダー８０の素材は紙に限らず、その他のシート、板、建造物やインテリアの壁面等としても良い。また、カレンダー８０を携帯通信端末やコンピュータ等のモニタや液晶パネルに表示させるようにしてもよい。さらに、本例で示したカレンダー８０は一例であるから、月表示３０、日表示３２、曜日表示３４等の表示法や配置、第１の記号４１、第２の記号４２、第３の記号４４ａ、４４ｂの図柄等はこれに限定されるわけではなく、本考案は本考案の要旨を逸脱しない範囲で変更して実施することが可能である。
【符号の説明】
【００２８】
３０    月表示
３２    日表示
３４    曜日表示
３６    太陽自転表示
３６ａ  陽陰太極図表示
３６ｂ  太陰表示
３６ｃ  陰陽太極図表示
３６ｄ  太陽表示
４０ａ  第１の領域
４０ｂ  第２の領域
４１    第１の記号
４２    第２の記号
４４    第３の記号
８０    カレンダー
【図１】
0003180549.tif 000003
【図２】
0003180549.tif 000004
【図３】
0003180549.tif 000005
【図４】
0003180549.tif 000006
【手続補正書】
【提出日】平成24年10月18日(2012.10.18)
【手続補正１】
【補正対象書類名】実用新案登録請求の範囲
【補正対象項目名】全文
【補正方法】変更
【補正の内容】
【実用新案登録請求の範囲】
【請求項１】
暦上の月を表示する月表示と、暦上の日を表示する日表示と、暦上の曜日を表示する曜日表示と、を有するカレンダーにおいて、
前記日表示が記載された枠内に、前記日表示と共に、太陽の自転を表す太陽自転表示を有し、
前記太陽自転表示は、第１の色で構成される略勾玉形状の第１の領域と第２の色で構成される略勾玉形状の第２の領域が回転しながら増減することで太陽の自転を表すとともに、太陽自転期の開始日を第１の領域と第２の領域とが同比率で組み合わさり第１の領域が左方に位置する陽陰太極図表示で示し、
さらに、前記陽陰太極図表示から第２の領域が徐々に増大して第１の領域が消滅する太陰表示までの第１区間と、前記太陰表示から第１の領域が徐々に増大して第１の領域と第２の領域とが同比率で第１の領域が右方に位置する陰陽太極図表示までの第２区間と、前記陰陽太極図表示から第１の領域が徐々に増大して第２の領域が消滅する太陽表示までの第３区間と、前記太陽表示から第２の領域が徐々に増大して次の太陽自転期の開始日を示す陽陰太極図表示となるまでの第４区間と、を有することを特徴とするカレンダー。
【請求項２】
太陽の自転周期が２８日間の場合には第１区間、第２区間、第３区間、第４区間を各７日間とし、
太陽の自転周期が２７日間で太陽自転期の開始時刻が０時から６時までの場合には第４区間を６日間とし、それ以外の区間を７日間とし、
太陽の自転周期が２７日間で太陽自転期の開始時刻が６時から１２時までの場合には第３区間を６日間とし、それ以外の区間を７日間とし、
太陽の自転周期が２７日間で太陽自転期の開始時刻が１２時から１８時までの場合には第２区間を６日間とし、それ以外の区間を７日間とし、
太陽の自転周期が２７日間で太陽自転期の開始時刻が１８時から２４時までの場合には第１区間を６日間とし、それ以外の区間を７日間とすることを特徴とする請求項１記載のカレンダー。
【請求項３】
太陽自転期の開始日に第１の記号を付与することを特徴とする請求項１又は請求項２に記載のカレンダー。
【請求項４】
太陽の日面中央経度が最大値と最小値をとる日に第２の記号を付与することを特徴とする請求項１乃至請求項３のいずれかに記載のカレンダー。
【請求項５】
太陽の日面中央緯度が０°に最接近する日及び最大値、最小値の近傍となる日に第３の記号を付与することを特徴とする請求項１乃至請求項４のいずれかに記載のカレンダー。
【手続補正２】
【補正対象書類名】明細書
【補正対象項目名】０００６
【補正方法】変更
【補正の内容】
【０００６】
本考案は、
（１）暦上の月を表示する月表示３０と、暦上の日を表示する日表示３２と、暦上の曜日を表示する曜日表示３４と、を有するカレンダーにおいて、
前記日表示３２が記載された枠内に、前記日表示３２と共に、太陽の自転を表す太陽自転表示３６を有し、
前記太陽自転表示３６は、第１の色で構成される略勾玉形状の第１の領域４０ａと第２の色で構成される略勾玉形状の第２の領域４０ｂが回転しながら増減することで太陽の自転を表すとともに、太陽自転期の開始日を第１の領域４０ａと第２の領域４０ｂとが同比率で組み合わさり第１の領域４０ａが左方に位置する陽陰太極図表示３６ａで示し、
さらに、前記陽陰太極図表示３６ａから第２の領域４０ｂが徐々に増大して第１の領域４０ａが消滅する太陰表示３６ｂまでの第１区間と、前記太陰表示３６ｂから第１の領域４０ａが徐々に増大して第１の領域４０ａと第２の領域４０ｂとが同比率で第１の領域４０ａが右方に位置する陰陽太極図表示３６ｃまでの第２区間と、前記陰陽太極図表示３６ｃから第１の領域４０ａが徐々に増大して第２の領域４０ｂが消滅する太陽表示３６ｄまでの第３区間と、前記太陽表示３６ｄから第２の領域４０ｂが徐々に増大して次の太陽自転期の開始日を示す陽陰太極図表示３６ａとなるまでの第４区間と、を有することを特徴とするカレンダー８０を提供することにより、上記課題を解決する。
（２）太陽の自転周期が２８日間の場合には第１区間、第２区間、第３区間、第４区間を各７日間とし、
太陽の自転周期が２７日間で太陽自転期の開始時刻が０時から６時までの場合には第４区間を６日間とし、それ以外の区間を７日間とし、
太陽の自転周期が２７日間で太陽自転期の開始時刻が６時から１２時までの場合には第３区間を６日間とし、それ以外の区間を７日間とし、
太陽の自転周期が２７日間で太陽自転期の開始時刻が１２時から１８時までの場合には第２区間を６日間とし、それ以外の区間を７日間とし、
太陽の自転周期が２７日間で太陽自転期の開始時刻が１８時から２４時までの場合には第１区間を６日間とし、それ以外の区間を７日間とすることを特徴とする上記（１）記載のカレンダー８０を提供することにより、上記課題を解決する。
（３）太陽自転期の開始日に第１の記号４１を付与することを特徴とする上記（１）又は（２）に記載のカレンダー８０を提供することにより、上記課題を解決する。
（４）太陽の日面中央経度が最大値と最小値をとる日に第２の記号４２を付与することを特徴とする上記（１）乃至（３）のいずれかに記載のカレンダー８０を提供することにより、上記課題を解決する。
（５）太陽の日面中央緯度が０°に最接近する日及び最大値、最小値の近傍となる日に第３の記号４４を付与することを特徴とする上記（１）乃至（４）のいずれかに記載のカレンダー８０を提供することにより、上記課題を解決する。